(57)【要約】【課題】本発明は、投入時の釣具の姿勢が、頭部が下向く姿勢となるので腹打ちせずに初速を生かし、しかも、その姿勢のまま海中に沈んでいくことができて、そのうえ、目的の水深に到達後は、簡単に水中での釣具の姿勢を水平状態にして太刀魚等の対象魚の食い気を誘うことができる釣具を提供する。【解決手段】釣り糸を連結するためのアイとオモリの機能とを有するヘッド部と、該ヘッド部から後方に延びる軸部と、該軸部と直結したフックと、エサ固定手段と、を少なくとも備えた釣具において、前記軸部又は前記フックに釣り糸係止手段を備え、該釣り糸係止手段が、釣り糸の張力により釣り糸を、係止状態を維持したり、外したりできることを特徴とする釣具。【選択図】図１
2018153109.tif 000002
【特許請求の範囲】
【請求項１】
釣り糸を連結するためのアイとオモリの機能とを有するヘッド部と、該ヘッド部から後方に延びる軸部と、該軸部と直結したフックと、エサ固定手段と、を少なくとも備えた釣具において、前記軸部又は前記フックに釣り糸係止手段を備え、該釣り糸係止手段が、釣り糸の張力により釣り糸を、係止状態を維持したり、外したりできることを特徴とする釣具。
【請求項２】
釣り糸を連結するためのアイ部と、オモリ部と、該アイ部から後方に延びるエサ載せ部と、該エサ載せ部の後方に設けたフックと、エサ固定手段と、を少なくとも備えた釣具において、前記エサ載せ部又は前記フックに釣り糸係止手段を備え、該釣り糸係止手段が、釣り糸の張力により釣り糸を、係止状態を維持したり、外したりできることを特徴とする釣具。
【請求項３】
イカ又はタコ釣り用のエギにおいて、該エギの本体後部に釣り糸係止手段を備え、該釣り糸係止手段が、釣り糸の張力により釣り糸を、係止状態を維持したり、外したりできることを特徴とする釣具。
【請求項４】
前記釣り糸係止手段が、後方に一部に切欠きのある環部からなり、該切欠き部が弾性体からなることを特徴とする請求項１又は２又は３に記載の釣具。
【請求項５】
前記弾性体が、コバルト・クロム合金又はゴムであることを特徴とする請求項４に記載の釣具。
【発明の詳細な説明】
【技術分野】
【０００１】
本発明は、主に太刀魚釣りに用いられる釣具に関するものである。
【背景技術】
【０００２】
従来、太刀魚の釣り方には、エサを使った天秤仕掛け、ルアーを使ったジギング等、様々な釣り方があった。その中で関西では、エサを使うが、口に食わせるのではなくて、テンヤといわれる釣具を使って魚体に引っ掛けて太刀魚を釣る釣り方があった。この釣り方では、引っ掛けて釣るために、腕の上手、下手がはっきりしていてゲーム性があり、また、様々な釣り大会があって、しかも、上手な人では天秤仕掛けよりも数多く釣れるので、近年、全国的に人気が出てきている。
【０００３】
テンヤという釣具は、エサとなるイワシやアジを、テンヤのエサ止めピンに突き刺した後、エサ巻きワイヤーでエサが外れないようにテンヤに固定して、そのエサを食べようとして近付いてきた太刀魚を引っ掛けて釣るものである。例えば、太刀魚釣りのテンヤの仕掛けの一例が先行技術として開示されている（文献１）。
【先行技術文献】
【非特許文献】
【０００４】
【非特許文献１】別冊釣り人  Ｖｏｌ．４０２「関西船タチウオ最前線」（Ｐ３３）。
【発明の概要】
【発明が解決しようとする課題】
【０００５】
テンヤを用いた釣りは、主に、船から海中にテンヤ仕掛けを落として、テンヤを水平状態にして釣るものであるが、テンヤ仕掛けを船から投入して沈降させ、その後巻き上げながらテンヤを水平状態にして魚を引っ掛けるという釣りサイクルなので、手返しの早さが釣果に直結している。また、太刀魚は立って泳ぐ習性のため水平面積が小さく魚群探知機で正確に探知しにくい。釣果を上げるためには、素早く様々な水深のタナを探り、活性の高い（食い気のある）太刀魚が居るタナを探る必要があった。しかし、従来のテンヤでは、船からテンヤを投入した際に、テンヤが海面で腹打ちして、海中をテンヤが落下する際の初速が海面でほぼ０となってしまって、船縁からの投入時の初速（下向きの投入初速＋海水面までの自由落下速度）を生かせないという問題があった。さらに、腹打ち状態のテンヤは、ヘッドがオモリとなっているので、姿勢が変わり頭部から海中に沈んでいく。この姿勢が変わる際にタイムがロスして無駄な時間が経過するという問題があった。特に、深い水深の太刀魚を釣る際には、その問題が顕著であった。
【０００６】
本発明は、これらの問題を解決したものであって、投入時の釣具の姿勢が、頭部が下向く姿勢となるので腹打ちせずに初速を生かし、しかも、その姿勢のまま海中に沈んでいくことができて、そのうえ、目的の水深に到達後は、簡単に水中での釣具の姿勢を水平状態にして太刀魚等の対象魚の食い気を誘うことができる釣具を提供するものである。
【課題を解決するための手段】
【０００７】
本発明の請求項１に係る釣具は、釣り糸を連結するためのアイとオモリの機能とを有するヘッド部と、該ヘッド部から後方に延びる軸部と、該軸部と直結したフックと、エサ固定手段と、を少なくとも備えた釣具において、前記軸部又は前記フックに釣り糸係止手段を備え、該釣り糸係止手段が、釣り糸の張力により釣り糸を、係止状態を維持したり、外したりできることを特徴とする。
【０００８】
この構成によって、本発明の請求項１に係る釣具は、リール竿から出た釣り糸の先端に結ばれて使用されるが、本願釣具を投入時には、釣り糸アイからリールに至る釣り糸を、釣り糸係止手段に通して引っ掛けて使用することによって、ヘッドが下を向いた状態を、船から海水面を経た後、所定の水深に沈めるまでの間、維持し続けることができる。このことによって、本願釣具は、船縁から所定の水深まで、一貫してヘッド部が下を向いた状態を維持させているので、海面から海水に潜る際にも腹打ちせずに、本願釣具の海面到達時の初速を大きく減速させずに沈めることができると共に本願釣具の姿勢が変わることなく沈めることができるので、タイムロスなく迅速に所定の水深まで到達できる。また、釣り糸係止手段があるので、沈める際に、本願釣具に釣り糸が絡まることを防止できる。よって、投入毎に確実に対象魚（釣りの獲物）を釣ることが可能な状態にすることができる。
【０００９】
そして、本願釣具が、目的の水深に到達後には、リール竿をしゃくることによって、釣り糸に上向きのテンションがかかって釣り糸係止手段から釣り糸が外れ、釣ることができる状態である水平状態に戻り、釣具に備えられたエサによって太刀魚を誘い、近寄ってきた太刀魚を引っ掛けることができる。したがって、本願釣具を使用した釣り人は手返しがよく釣りができるので、釣ることができる機会の数や時間が多くなり、釣れる数が増えて釣果を上げることができる。本発明に係る釣具は、特に水深が８０〜１５０ｍと深い水深のタナを狙う際に特に有効である。
【００１０】
本発明の請求項２に係る釣具は、釣り糸を連結するためのアイ部と、オモリ部と、該アイ部から後方に延びるエサ載せ部と、該エサ載せ部の後方に設けたフックと、エサ固定手段と、を少なくとも備えた釣具において、前記エサ載せ部又は前記フックに釣り糸係止手段を備え、該釣り糸係止手段が、釣り糸の張力により釣り糸を、係止状態を維持したり、外したりできることを特徴とする。また、本発明の請求項３に係る釣具は、イカ又はタコ釣り用のエギにおいて、該エギの本体後部に釣り糸係止手段を備え、該釣り糸係止手段が、釣り糸の張力により釣り糸を、係止状態を維持したり、外したりできることを特徴とする。
【００１１】
この構成を採用することにより、本発明に係る請求項２の釣具は、従来のタコ釣り用のテンヤのエサ載せ部又はフックに、釣り糸を引っ掛ける釣り糸係止手段が備えられている。また、本発明に係る請求項３の釣具は、従来のイカ釣り用やタコ釣り用のエギの本体後部に、釣り糸を引っ掛ける釣り糸係止手段が備えられている。
【００１２】
これらの釣り糸係止手段によって、本発明に係る請求項２又は３の釣具は、リール竿から出た釣り糸の先端に結ばれて使用されるが、本願釣具を投入時には、釣り糸アイ（エギの糸結び部）からリールに至る釣り糸を、釣り糸係止手段に通して引っ掛けて使用することによって、ヘッド（頭部）が下を向いた状態を、船から海水面を経た後、所定の水深に沈めるまでの間、維持し続けることができる。このことによって、本願釣具は、船縁から所定の水深まで、一貫してヘッドが下を向いた状態を維持させているので、海面から海水に潜る際にも腹打ちせずに、本願釣具の海面到達時の初速を大きく減速させずに沈めることができると共に本願釣具の姿勢が変わることなく沈めることができるので、タイムロスなく迅速に所定の水深まで到達できる。また、本願釣具は、係止手段があるので、沈降時に、釣り糸が本願釣具に絡まることを防止できるので、投入毎に、確実に対象魚を釣ることが可能な状態にすることができる。また、目的の水深に到達後には、竿をしゃくることによって、釣り糸に上向きのテンションがかかって釣り糸係止手段から釣り糸が外れ、釣ることができる状態である水平状態に戻すことができる。よって、エサやエギによって、タコやイカを誘って引っ掛けることができ、本願釣具を使用した釣り人は手返しがよく釣りができるので、効率良く釣りができ、釣れる数が増えて釣果をあげることができる。本発明に係る釣具は、特に水深が８０〜１５０ｍと深い水深のタナを狙う際に特に有効である。
【００１３】
本発明の請求項４に係る釣具は、請求項１又は２又は３に記載の釣具において、前記釣り糸係止手段が、後方に一部に切欠きのある環部からなり、該切欠き部が弾性体からなることを特徴とする。また、本発明の請求項５に係る釣具は、請求項４に記載の釣具において、前記弾性体が、コバルト・クロム合金又はゴムであることを特徴とする。
【００１４】
この構成を採用することにより、請求項４に係る釣具は、釣り糸アイからリールに至る釣り糸を環部に通した後に、海中に釣具を投入して沈める際に、釣り糸が環部を通り固定されていないので、釣り糸にテンションがかからない。よって、釣り糸が環部に力が掛かった状態で擦れないので傷がつかない。よって、釣り糸が傷によって糸切れを起こすことを防止できる。また、環部に切欠き部があるので、釣り糸を環部から外すことができる。さらに、環部の切欠き部が弾性体で構成されているので、投入時や沈降時は環部内に釣り糸が収まっており、所定の水深到達後に、リール竿をしゃくることにより釣り糸にテンションがかかって環部から釣り糸が容易に外れる。その結果、本発明の釣具は、簡単に、ヘッド（頭部）が下に向いた状態から水平状態の姿勢に戻すことができて、目的の獲物を釣ることができる。また、弾性体は、コバルト・クロム合金やゴム等が海水に浸しても劣化しにくいので好適である。
【発明の効果】
【００１５】
本発明に係る請求項１から５に記載の釣具によれば、素早く仕掛けを目的の水深まで投入できて、簡単に釣ることができる姿勢に戻すことができる。よって、手返しを早くできるので、目的魚を数多く釣ることができて釣果をあげることができる。特に、水深が８０〜１００ｍ以上の深さの釣りに、沈める時間を最短にできるので最適である。また、本願釣具の沈降時に、釣り糸が本願釣具に絡まることを防止できるので、リール竿をしゃくった後は、確実に、釣ることが可能な状態に戻すことができる。また、釣り糸への負担が少なく、糸切れを防止できるので、引っ掛けた獲物を確実に取り込むことができる。
【図面の簡単な説明】
【００１６】
【図１】図１は、本発明を実施するための形態に係る釣具の模式的側面図である。
【図２】図２は、本発明を実施するための形態に係る釣具の模式的斜視図である。
【図３】図３は、本発明を実施するための形態に係る釣具のＡ部の模式的拡大平面図である。
【図４】図４は、本発明を実施するための形態に係る釣具のＡ部の模式的拡大側面図である。
【図５】図５は、本発明を実施するための形態に係る釣具の海中を落下中の使用状態図である。
【図６】図６は、本発明を実施するための形態に係る釣具の海中を落下後の使用状態図である。
【図７】図７は、本発明を実施するための形態に係る釣具の釣り糸係止手段であるラインクリッパーであって、（ａ）は、別形態の模式的平面図であり、（ｂ）は、さらに別形態でゴムを用いた形態の模式的平面図である。
【図８】図８は、本発明を実施するための形態に係る別の形態の模式的側面図である。
【図９】図９は、本発明を実施するための形態に係るさらに別の形態の模式的側面図である。
【発明を実施するための形態】
【００１７】
本発明に係る釣具１は、図１、図２が、太刀魚釣り用のテンヤといわれる釣具、図８が、タコ釣り用のテンヤ、図９が、イカやタコ釣り用のエギを表しており、各図には、少なくとも、釣り糸係止手段であるラインクリッパー２を備えている。
【００１８】
図１、図２に示すように、本発明の請求項１に係る釣具（太刀魚釣り用のテンヤ）１は、釣り糸１０を結ぶための釣り糸アイ３−１と、釣り糸アイ３−１にも取り付け可能であるが、基本的に下部アイ３−２に取り付けて、エサ３０を固定させるエサ巻きワイヤー５と、を有するオモリを兼ねたヘッド３と、ヘッド３から固結して後方に延びた軸４−１と、軸４−１に直結したフック４と、軸４−１の上部に設けられたエサ３０を突き刺して固定するためのエサ止めピン４−２と、ラインクリッパー２と、から構成される。
【００１９】
また、図８に示すように、本発明の請求項２に係る釣具（タコ釣り用のテンヤ）１は、釣り糸１０を結ぶための釣り糸アイ３−１と、エサ３０を載せて固定するためのエサ載せ部６と、釣り糸アイ３−１から出てエサを固定するエサ巻きワイヤー５と、オモリ３と、エサ載せ部６から後方に設けたフック４と、ラインクリッパー２と、から構成される。
【００２０】
また、図９に示すように、本発明の請求項３に係る釣具（イカ又はタコ釣り用のエギ）１は、釣り糸１０を結ぶための釣り糸アイ３−１と、釣り糸アイ３−１とオモリ３とフック４とを備えたエギ本体７と、ラインクリッパー２と、から構成される。
【００２１】
ラインクリッパー２は、図３、図４、図７（ａ）、図７（ｂ）に示すように、  本発明に係る釣具１の後部のフック４の根元又はエギ７の後部に設けられており、環部２−２と、環部２−２の一部を切欠いた切欠き部２−１と、少なくとも有している。そして、切欠き部２−１は、弾性体で構成される。リール竿から出た釣り糸１０は、釣り糸アイ３−１に結んである。本発明に係る釣具１を投入、沈降させる際には、その釣り糸１０の途中部分を環部２−２に通して釣具１の頭部を下向いた状態となって、その状態を維持できる。図５、図６に示すように、所定の水深に到達後には、リール竿をしゃくることによって、釣り糸１０にテンションが掛かり、釣り糸１０が環部２−２の弾性体で構成される切欠き部２−１から容易に外すことができる。よって、対象魚の食い気を誘う状態である水平状態にすることができる。また、本発明にかかる釣具１は、投入時、沈降時に釣り糸１０がラインクリッパー２を通っているので釣り糸１０が、釣具１に絡んだりしない。なお、ラインクリッパー２の形状の一例を図７（ａ）、図７（ｂ）に示している。ラインクリッパー２は、弾性の金属製が好適であるが、図７（ｂ）に示すように、切欠き部２−１をゴム製にすることもできる。
【００２２】
次に、本発明に係る釣具１の製造方法の一例を説明する。市販のテンヤに直径１ｍｍのコバルト・クロムワイヤーで作ったラインクリッパー２を溶接、はんだ付け、ロウ付け、溶着、接着等によって固定して完成する。なお、ラインクリッパー２の設置位置は、テンヤやエギ７の後部で、沈降時にヘッド３が下を向くと共にフック４に釣り糸１０が絡まない位置がよい。例えば、テンヤの軸４−１やフック４の根元の位置が好適である。
【００２３】
本発明に係る釣具１の使用方法の一例を説明する。本発明に係る釣具１をリール竿から出た釣り糸１０の先端にスナップスイベル２０を結び、該スナップスイベル２０を釣り糸アイ３−１に接続する。エサ３０をエサ止めピン４−２に突き刺した後、エサ巻きワイヤー５を、エサと軸４−１を一緒に巻き付けて固定する。その際にワイヤー５の端部をラインクリッパー２とフックと４との隙間に挟み込んでおく。そして、釣り船から本発明に係る釣具１０を投入する際に、図５に示すように、釣り糸１０をラインクリッパー２の環部２−２に通した後に、船縁から真下に投入する。本発明に係る釣具１は、ヘッド３が下向くので、船からの投入した際の海水面到達直前の初速（下向きの投入初速＋海水面までの自由落下速度）を減速させずに生かすことができると共に、あらかじめヘッド３が下を向いており、本発明に係る釣具１の体勢を変える時間的ロスがないので沈む速度が非常に速い。よって、釣具１が目的の水深（タナ）まで最短時間で到達できるので、時間のロスがない。さらに、また、目的の水深到達後には、リールをフリー状態からロックしてリール竿をしゃくることによって、図５、図６に示すように、釣り糸１０に上向きのテンションがかかって、ラインクリッパー２の後方の切欠き部２−１から外れて、釣具１は、簡単に水平状態に戻り、この状態が、太刀魚等の対象魚にエサ３０を捕食する食い気を出させて、対象魚を近寄らせ、対象魚を引っ掛けることが可能となる。
【００２４】
また、釣具１を巻き上げてエサ３０交換する際には、エサ巻きワイヤー５の端部の位置がラインクリッパー２とフック４との隙間にあって容易に見つけることができるので、長いワイヤー５の端を探す時間的ロスがない。
【００２５】
本発明に係る釣具１を用いれば、特に、水深が深いタナに居る対象魚を狙う際に、手返しやエサ３０交換を早くできるので、釣ることができる機会が増えることになって、釣ることができる機会数や釣ることができる時間に、比例して数多く釣ることができ釣果を上げることができる。
【産業上の利用可能性】
【００２６】
水深の深いタナを早く沈めて釣る釣り方であって、手返しを良くする釣り方に用いられる釣具の分野に広く利用できる。
【符号の説明】
【００２７】
１：釣具（テンヤ又はエギ）
２：ラインクリッパー    ２−１：切欠き部        ２−２：環部  
３：ヘッド（オモリ）    ３−１：釣り糸アイ      ３−２：下部アイ      
４：フック              ４−１：軸              ４−２：エサ止めピン
５：エサ巻きワイヤー        
６：エサ載せ部          
７：エギ本体
１０：釣り糸              
２０：スナップスイベル      
３０：エサ                
【図１】
2018153109.tif 000003
【図２】
2018153109.tif 000004
【図３】
2018153109.tif 000005
【図４】
2018153109.tif 000006
【図５】
2018153109.tif 000007
【図６】
2018153109.tif 000008
【図７】
2018153109.tif 000009
【図８】
2018153109.tif 000010
【図９】
2018153109.tif 000011